(57)【要約】【課題】使用者Ｐが映像を見やすいように、使用者Ｐの目線に合わせて映像を表示する。【解決手段】ミラーシステム１Ａは、使用者の目線高さＩＬを検出する目線高さ検出手段と、目線高さ検出手段が検出した目線高さＩＬに合わせて映像を表示する映像表示手段とを備える。目線高さ検出手段は、使用者Ｐの頭上に設けられた距離センサ１１ａである。映像表示手段は、映像を投影するプロジェクタ２１と、プロジェクタ２１から投影された映像が反射されるミラー２２と、ミラー２２により反射された映像を透過させるハーフミラー２３とを有する。ミラー２２及び／又はプロジェクタ２１をハーフミラー２３に対して目線高さ方向に移動させることにより、目線高さＩＬに合わせて映像をハーフミラー２３に表示する。【選択図】図１
2009156990.tif 000002
【特許請求の範囲】
【請求項１】
使用者の目線高さを検出する目線高さ検出手段と、
前記目線高さ検出手段が検出した目線高さに合わせて映像を表示する映像表示手段と
を備えることを特徴とするミラーシステム。
【請求項２】
前記目線高さ検出手段は、使用者の頭上に設けられた距離検出手段であることを特徴とする請求項１記載のミラーシステム。
【請求項３】
前記目線高さ検出手段は、各使用者の目線高さのデータを記憶する目線高さ記憶手段と、使用者を認証するためのデータを記憶する認証データ記憶手段と、前記認証データ記憶手段に記憶されたデータに基づいて使用者を認証する使用者認証手段とを有し、前記使用者認証手段が認証した使用者の目線高さを前記目線高さ記憶手段から読み出すことを特徴とする請求項１記載のミラーシステム。
【請求項４】
前記目線高さ検出手段は、使用者との位置関係を検出するカメラであることを特徴とする請求項１に記載のミラーシステム。
【請求項５】
前記映像表示手段は、映像を投影するプロジェクタと、前記プロジェクタから投影された映像が反射されるミラーと、当該ミラーにより反射された映像を透過させるハーフミラーとを有し、
前記ミラー及びプロジェクタは前記ハーフミラーに対して同時に目線高さ方向に移動する
ことを特徴とする請求項１から４いずれか一項に記載のミラーシステム。
【請求項６】
前記映像表示手段は、映像を投影するプロジェクタと、前記プロジェクタから投影された映像が反射されるミラーと、当該ミラーにより反射された映像を透過させるハーフミラーとを有し、
前記ミラーは前記ハーフミラーに対して目線高さ方向に移動し、前記プロジェクタは前記ハーフミラーに対して固定され、映像の投影面積及び焦点距離を制御する
ことを特徴とする請求項１から４いずれか一項に記載のミラーシステム。
【請求項７】
前記映像表示手段は、映像を投影するプロジェクタと、前記プロジェクタから投影された映像が反射されるミラーと、当該ミラーにより反射された映像を透過させるハーフミラーとを有し、
前記ミラーは前記ハーフミラーに対して固定され、前記プロジェクタは前記ミラーの反射面に対する映像の投影角度を制御する
ことを特徴とする請求項１から４いずれか一項に記載のミラーシステム。
【請求項８】
前記映像表示手段は、映像を投影するプロジェクタと、前記プロジェクタから投影された映像が反射されるミラーと、当該ミラーにより反射された映像を透過させるハーフミラーとを有し、
前記ミラーは前記ハーフミラーに対して固定され、前記プロジェクタは前記ミラーの反射面に対する映像の投影角度を一定に保ちながら映像の投影方向に垂直な方向に移動する
ことを特徴とする請求項１から４いずれか一項に記載のミラーシステム。
【請求項９】
前記映像表示手段は、映像を投影するプロジェクタと、前記プロジェクタから投影された映像が反射されるミラーと、当該ミラーにより反射された映像を透過させるハーフミラーとを有し、
前記ミラー及び前記プロジェクタは前記ハーフミラーに対して固定され、映像は前記プロジェクタの投影可能範囲の一部分のみに投影され、前記プロジェクタは前記投影可能範囲における映像の目線高さ方向の位置を制御する
ことを特徴とする請求項１から４いずれか一項に記載のミラーシステム。
【請求項１０】
前記ミラーは、回転することにより前記プロジェクタから投射された映像を第１の空間又は第２の空間に向けて反射させ、
前記ハーフミラーは、前記ミラーにより反射された映像を第１の空間に向けて透過させ、
前記映像表示手段は、前記ミラーにより反射された光線を第２の空間に向けて透過させる第２のハーフミラーを更に備える
ことを特徴とする請求項１から９いずれか一項に記載のミラーシステム。
【発明の詳細な説明】
【技術分野】
【０００１】
本発明は、映像を投影するプロジェクタとこの映像を透過させるハーフミラーとを備えるミラーシステムに関する。
【背景技術】
【０００２】
従来から、反射像を映すだけでなく、鏡面に様々な情報を映すミラーシステムが種々提案されている（例えば、特許文献１参照）。
【０００３】
上記特許文献１には、拡散層とハーフミラーが重ねられた表示部と、その表示部にプロジェクタから映像を投影し、センサ、カメラ、マイク、ＩＣカードリーダーなどからユーザの動作、状態を検出する手段と、検出した情報に基づいて映像を表示部に表示する手段と、を有する情報表示装置が記載されている。ここで、センサやカメラによりユーザのミラーに対する動きを検出し、検出されたユーザの動きに従って映像が表示部内を移動するように映像表示装置を構成することができる。
【特許文献１】特開２００６−３３００１１号公報
【発明の開示】
【発明が解決しようとする課題】
【０００４】
ところで、ユーザに映像を見やすくさせるためには、ユーザの目線に合った位置に映像を表示することが望ましい。
【０００５】
しかし、上述したように、上記特許文献１に記載の映像表示装置では、ユーザの動きを検出し、検出されたユーザの動きに従って映像が表示部内を移動するように構成することができるものの、ユーザの目線を検出することができないため、ユーザの目線に合わせて映像を表示することができず、ユーザが映像を見にくくなってしまう虞がある。
【０００６】
本発明は、上記問題に鑑みてなしたものであり、使用者が映像を見やすいように、使用者の目線に合わせて映像を表示することができるミラーシステムを提供することを目的とする。
【課題を解決するための手段】
【０００７】
本発明の第１の特徴は、使用者の目線高さを検出する目線高さ検出手段と、目線高さ検出手段が検出した目線高さに合わせて映像を表示する映像表示手段とを備えるミラーシステムであることを要旨とする。
【０００８】
本発明の第１の特徴によれば、目線高さ検出手段が検出した目線高さに合わせて映像表示手段が映像を表示することにより、ユーザが見やすい位置に映像を表示することができる。
【０００９】
本発明の第１の特徴において、目線高さ検出手段は、使用者の頭上に設けられた距離検出手段であってもよい。使用者の頭上に配置された距離検出手段を用いることにより、例えば同じ使用者であっても椅子に座っている時と立っている時とで異なる目線高さを算出することができる。
【００１０】
或いは、目線高さ検出手段は、各使用者の目線高さのデータを記憶する目線高さ記憶手段と、使用者を認証するためのデータを記憶する認証データ記憶手段と、認証データ記憶手段に記憶されたデータに基づいて使用者を認証する使用者認証手段とを有し、使用者認証手段が認証した使用者の目線高さを目線高さ記憶手段から読み出しても構わない。これにより、予め登録された使用者であれば、使用者を認証することにより使用者の目線高さを求めることができるので、ミラーシステムを使用する度にセンサなどを用いて目線高さを測定する必要がなくなる。
【００１１】
また或いは、目線高さ検出手段は、使用者との位置関係を検出するカメラであっても構わない。
【００１２】
本発明の第１の特徴において、映像表示手段は、映像を投影するプロジェクタと、プロジェクタから投影された映像が反射されるミラーと、当該ミラーにより反射された映像を透過させるハーフミラーとを有していてもよい。この場合、映像表示手段は、以下の第１〜第５の映像調整方法のいずれかによって、目線高さ検出手段が検出した目線高さに合わせて映像を表示することができる。
【００１３】
第１の映像調整方法では、ミラー及びプロジェクタをハーフミラーに対して同時に目線高さ方向に移動させる。
【００１４】
第２の映像調整方法では、ミラーがハーフミラーに対して目線高さ方向に移動し、プロジェクタがハーフミラーに対して固定され、映像の投影面積及び焦点距離を制御する。
【００１５】
第３の映像調整方法では、ミラーがハーフミラーに対して固定され、プロジェクタがミラーの反射面に対する映像の投影角度を制御する。
【００１６】
第４の映像調整方法では、ミラーがハーフミラーに対して固定され、プロジェクタがミラーの反射面に対する映像の投影角度を一定に保ちながら映像の投影方向に垂直な方向に移動する。
【００１７】
第５の映像調整方法では、ミラー及びプロジェクタがハーフミラーに対して固定され、映像がプロジェクタの投影可能範囲の一部分のみに投影され、プロジェクタが前記した投影可能範囲における映像の目線高さ方向の位置を制御する。
【００１８】
本発明の第１の特徴において、ミラーは回転することによりプロジェクタから投射された映像を第１の空間又は第２の空間に向けて反射させ、ハーフミラーはミラーにより反射された映像を第１の空間に向けて透過させ、映像表示手段は、ミラーにより反射された光線を第２の空間に向けて透過させる第２のハーフミラーを更に備えていてもよい。
【００１９】
ミラーが回転することによりプロジェクタから投影された映像を第１の空間又は第２の空間に向けて反射させ、ハーフミラーはミラーにより反射された映像を第１の空間に向けて透過させ、第２のハーフミラーはミラーにより反射された映像を第２の空間に向けて透過させる。これによって、ミラーシステムは、一つの部屋であっても、これらの領域を仕切るとともに、仕切りにおけるそれぞれの領域側の面にそれぞれの用途に合った映像を表示させることができる。また、仕切りの面をハーフミラーとすることによって、使用者は鏡としても使用することができるので、ミラーシステムを部屋に設置しても部屋が狭くなったような圧迫感を使用者が感じることが少ない。よって、映像を表示していないときに部屋を広く見せることができる。
【発明の効果】
【００２０】
本発明によれば、使用者が映像を見やすいように、使用者の目線に合わせて映像を表示するミラーシステムを提供することができる。
【発明を実施するための最良の形態】
【００２１】
以下図面を参照して、本発明の実施の形態を説明する。図面の記載において同一部分には同一符号を付している。
（第１の実施の形態）
図２を参照して、本発明の第１の実施の形態に係わるミラーシステム１Ａの外観構成を説明する。本発明の第１の実施の形態に係わるミラーシステム１Ａは、筐体３３の一方の側面に設けられたハーフミラー２３と、ハーフミラー２３の下端から突出した甲板３１とを備える。ミラーシステム１Ａの使用者は、ハーフミラー２３を鏡として用いる場合、例えば甲板３１を洗面台や化粧台として利用することができる。
【００２２】
図１を参照して、本発明の第１の実施の形態に係わるミラーシステム１Ａの具体的な構成を説明する。ミラーシステム１Ａは、使用者Ｐの頭上に配置された距離検出手段の一例としての距離センサ１１ａと、映像を投影するプロジェクタ２１と、プロジェクタ２１から投影された映像が反射されるミラー２２と、ミラー２２により反射された映像を透過させるハーフミラー２３とを備える。
【００２３】
使用者Ｐの頭上に配置された距離検出手段は、使用者Ｐの目線高さＩＬを検出する目線高さ検出手段の一例である。距離センサ１１ａは、例えば、天井ＴＦに設置され、超音波やレーザによって天井ＴＦから使用者Ｐの頭頂部までの距離を測定し、測定した当該距離から使用者Ｐの目線高さＩＬを算出する。なお、使用者Ｐの頭上に配置された距離検出手段として、距離センサ１１ａの代わりにＣＣＤイメージセンサやＣＭＯＳイメージセンサ等のカメラを使用者Ｐの頭上に配置しても構わない。使用者Ｐの頭上に配置された距離検出手段を用いることにより、同じ使用者Ｐであっても椅子３２に座っている時と立っている時とで異なる目線高さＩＬを算出することができる。また或いは、使用者Ｐの目線高さＩＬを検出する目線高さ検出手段として、使用者Ｐとハーフミラー２３との位置関係を検出するカメラを用いてもよい。この場合、カメラは、例えば、筐体３３の内部であって、プロジェクタ２１の投射光を遮らない位置に設置される。
【００２４】
プロジェクタ２１及びミラー２２は筐体３３の内部に設けられ、ハーフミラー２３は筐体３３の一方の側面に固定されている。プロジェクタ２１は所定の映像を構成する光線を投射する。ミラー２２は、プロジェクタ２１から投射された光線をハーフミラー２３に向けて反射する。ハーフミラー２３は、ミラー２２により反射された光線を透過させる。例えば、ハーフミラー２３のミラー２２側の表面に、入射する光線を拡散する拡散層を形成することにより、光線はハーフミラー２３を透過する際に拡散される。よって、ハーフミラー２３には、プロジェクタ２１が投射する光線により構成される所定の映像が表示される。
【００２５】
プロジェクタ２１、ミラー２２及びハーフミラー２３は、距離センサ１１ａが検出した目線高さＩＬに合わせて映像を表示する映像表示手段の一例である。図３（ａ）〜図３（ｅ）を参照して、距離センサ１１ａが検出した目線高さＩＬに応じて映像の表示高さを調整する方法（第１〜第５の映像調整方法）を説明する。
【００２６】
第１の映像調整方法では、図３（ａ）に示すように、ミラー２２及びプロジェクタ２１を、ハーフミラー２３に対して同時に目線高さ方向に移動させることにより、距離センサ１１ａが検出した目線高さＩＬに合わせてハーフミラー２３に映像を表示する。具体的に、ミラー２２ａ及びプロジェクタ２１ａの状態からミラー２２ｂ及びプロジェクタ２１ｂの状態へ同時に目線高さ方向に移動させる。ミラー２２及びプロジェクタ２１は回転させること無く平行に移動させる。これにより、ミラー２２ｂ及びプロジェクタ２１ｂの状態でハーフミラー２３に投影される映像の高さは、ミラー２２ａ及びプロジェクタ２１ａの状態でハーフミラー２３に投影される映像の高さよりも高くなる。また、ハーフミラー２３に投影される映像の倍率等に変化は生じない。
【００２７】
第２の映像調整方法では、図３（ｂ）に示すように、ミラー２２をハーフミラー２３に対して目線高さ方向に移動させる。プロジェクタ２１はハーフミラー２３に対して固定する。そして、プロジェクタ２１は、ミラー２２の移動に併せて映像の投影面積及び焦点距離を制御する。具体的に、ミラー２２ａの状態からミラー２２ｂの状態へ天井の方向（上方）に移動させる。ミラー２２は回転させること無く平行に移動させる。ミラー２２の移動に併せて、プロジェクタ２１は、映像の投影面積を縮小し、且つ焦点距離を長くする。これにより、ミラー２２ｂの状態でハーフミラー２３に投影される映像の高さは、ミラー２２ａの状態でハーフミラー２３に投影される映像の高さよりも高くなる。また、ハーフミラー２３に投影される映像の倍率等に変化は生じない。なお、ミラー２２が上記とは逆に下方に移動する場合、プロジェクタ２１は、映像の投影面積を拡大し、且つ焦点距離を短くする。
【００２８】
第３の映像調整方法では、図３（ｃ）に示すように、ミラー２２をハーフミラー２３に対して固定し、ミラー２２の反射面に対するプロジェクタ２１の映像の投影角度θを制御する。具体的に、プロジェクタ２１ｃの状態からプロジェクタ２１ｄの状態へ移動させることにより、投影角度θがθｃからθｄへ変化する。投影角度θｄは投影角度θｃよりも小さいので、プロジェクタ２１ｄの状態でハーフミラー２３に投影される映像の高さは、プロジェクタ２１ｃの状態でハーフミラー２３に投影される映像の高さよりも高くなる。なお、ミラー２２の反射面に対するプロジェクタ２１の映像の投影角度θを変化させることにより、ハーフミラー２３に投影される映像が台形に変形する場合がある。この場合、プロジェクタ制御部やプロジェクタ２１が投影する映像を制御するコンピュータが、台形に変形した映像を方形状に補正すればよい。
【００２９】
第４の映像調整方法では、図３（ｄ）に示すように、ミラー２２をハーフミラー２３に対して固定し、ミラー２２の反射面に対する映像の投影角度を一定に保ちながらプロジェクタ２１を映像の投影方向に垂直な方向に移動させる。図３（ｃ）では映像の投影角度θを変化させるためにプロジェクタ２１を回転させたのに対して、図３（ｄ）ではプロジェクタ２１を回転させること無く平行に移動させる。具体的に、プロジェクタ２１ｅの状態からプロジェクタ２１ｆの状態へ移動させる。ミラー２２の反射面に対するプロジェクタ２１ｅの映像の投影角度θｅは、ミラー２２の反射面に対するプロジェクタ２１ｆの映像の投影角度θｆに等しい。これにより、映像を反射するミラー２２の位置が上方に移動するため、プロジェクタ２１ｆの状態でハーフミラー２３に投影される映像の高さは、プロジェクタ２１ｅの状態でハーフミラー２３に投影される映像の高さよりも高くなる。また、ハーフミラー２３に投影される映像の倍率等に変化は生じない場合があるが、必要に応じて、プロジェクタ２１は、プロジェクタ２１の移動に併せて映像の投影面積及び焦点距離を制御してもよい。
【００３０】
第５の映像調整方法では、図３（ｅ）に示すように、映像ＧＳ1、ＧＳ2をプロジェクタ２１の投影可能範囲ＦＳの一部分のみに投影し、プロジェクタ２１は投影可能範囲ＦＳにおける映像の目線高さ方向の位置を制御する。ミラー２２及びプロジェクタ２１はハーフミラー２３に対して固定する。よって、ハーフミラー２３の表示面における投影可能範囲ＦＳも固定される。なお、図３（ｅ）はハーフミラー２３の表示面における投影可能範囲ＦＳ及び映像ＧＳ1、ＧＳ2を示す平面図である。具体的に、プロジェクタ２１は、投影可能範囲ＦＳ内で映像の目線高さ方向の位置を映像ＧＳ1の位置から映像ＧＳ2の位置へ移動させる。これにより、ハーフミラー２３に投影される映像ＧＳ2の目線高さは、ハーフミラー２３に投影される映像ＧＳ1の目線高さよりも高くなる。
（変形例）
第１の実施の形態では、使用者Ｐの目線高さＩＬを検出する目線高さ検出手段として、使用者Ｐの頭上に配置された距離検出手段（距離センサ１１ａやイメージセンサなど）を例示して説明した。変形例では、使用者Ｐの目線高さＩＬを検出する目線高さ検出手段の他の例として、予め各使用者の目線高さの情報を登録し、ミラーシステム１Ａに使用者を認証する機能を設けることにより使用者の目線高さを求める場合について説明する。
【００３１】
図４に示すように、変形例において、目線高さ検出部１０ｂ（目線高さ検出手段）は、各使用者の目線高さのデータを記憶する目線高さデータベース１３（目線高さ記憶手段）と、使用者を認証するためのデータを記憶する認証データベース１４（認証データ記憶手段）と、認証データベース１４に記憶されたデータに基づいて使用者を認証する使用者認証部１５（使用者認証手段）とを有する。そして、目線高さ検出部１０ｂは、使用者認証部１５が認証した使用者の目線高さを目線高さデータベース１３から読み出す。目線高さ検出部１０ｂによれば、予め登録された使用者であれば、使用者を認証することにより使用者の目線高さを求めることができるので、ミラーシステム１Ａを使用する度にセンサなどを用いて目線高さを測定する必要がなくなる。
【００３２】
使用者認証部１５が認証に用いる情報、すなわち認証データベース１４に記憶されているデータとしては、生体認証に用いる生体情報や、パスワードや物（鍵、ＩＤカード）等がある。生体情報には、使用者の顔、指紋又は指や掌の静脈の形状や発話音声等の身体的特徴と、例えば甲板３１上の物を取ったり置いたりする動作、化粧をする動作、髪をとかす動作などの行動的特徴（癖）とが含まれる。
【００３３】
使用者認証部１５が使用者の顔による生体認証を行う場合、例えば、図５に示すように、筐体３３内にＣＣＤイメージセンサやＣＭＯＳイメージセンサなどのカメラ１１ｂを設置し、カメラ１１ｂを用いてハーフミラー２３を通して使用者Ｐの顔を撮影する。撮影された使用者Ｐの顔の映像データと認証データベース１４に予め登録されている各使用者の顔映像のデータとを照合することにより使用者を認証する。
（第２の実施の形態）
図６は、第２の実施の形態に係わるミラーシステム１Ｂの構成を示す断面図であり、図６（ａ）は、ミラー２２が第１の空間ＡＳに向けてプロジェクタ２１から投影された映像を反射している状態を示し、図６（ｂ）は、ミラー２２が第２の空間ＢＳに向けてプロジェクタ２１から投影された映像を反射している状態を示す。
【００３４】
ミラーシステム１Ｂは、映像を投影するプロジェクタ２１と、自らが回転することによりプロジェクタ２１から投影された映像を第１の空間ＡＳ又は第２の空間ＢＳに向けて反射させるミラー２２と、ミラー２２により反射された映像を第１の空間ＡＳに向けて透過させるハーフミラー２３と、ミラー２２により反射された映像を第２の空間ＢＳに向けて透過させる第２のハーフミラー２４とを備える。
【００３５】
プロジェクタ２１は所定の映像を構成する光線を投射する。ミラー２２はプロジェクタ２１から投射された光線を第１の空間ＡＳ又は第２の空間ＢＳに向けて反射させる。図６（ａ）の状態において、ミラー２２はプロジェクタ２１から投射された光線を第１の空間ＡＳに向けて反射し、図６（ｂ）の状態において、ミラー２２はプロジェクタ２１から投射された光線を第２の空間ＢＳに向けて反射する。第１の空間ＡＳは、甲板３１が設置されている側の空間である。
【００３６】
反射方向の切り替えはミラー２２が自ら回転することにより行われる。ミラー２２の回転の仕方は、ミラー２２の反射面ＲＳが片面のみに形成されているか或いは両面に形成されているかにより異なる。ミラー２２の反射面ＲＳが片面のみの場合、図６（ａ）の状態から図６（ｂ）の状態まで逆時計回り方向に回転すればよい。ミラー２２の反射面ＲＳが両面である場合、図６（ａ）の状態から図６（ｂ）の状態まで、時計回り方向又は逆時計回り方向に回転すればよい。
【００３７】
ハーフミラー２３は、第１の空間ＡＳに臨み、図６（ａ）の状態においてミラー２２により反射された光線を第１の空間ＡＳに向けて透過させる。例えば、ハーフミラー２３のミラー２２側の表面に、入射する光線を拡散する拡散層を形成することにより、光線はハーフミラー２３を透過する際に拡散される。よって、ハーフミラー２３には、プロジェクタ２１が投射する光線により構成される所定の映像が表示される。
【００３８】
第２のハーフミラー２４は、ハーフミラー２３に対向して設けられ、且つ第２の空間ＢＳに臨んでいる。また、第２のハーフミラー２４は、図６（ｂ）の状態においてミラー２２により反射された光線を第２の空間ＢＳに向けて透過させる。更に、第２のハーフミラー２４は、ハーフミラー２３と同様な上記構成を備え、プロジェクタ２１が投射する光線により構成される所定の映像を表示する。
【００３９】
ミラー２２及びプロジェクタ２１は、ハーフミラー２３と第２のハーフミラー２４の間の第３の空間に設けられている。すなわち、ハーフミラー２３と第２のハーフミラー２４は、筐体の両側面に設けられ、ミラー２２及びプロジェクタ２１は筐体の内部に設けられている。
【００４０】
図示は省略したが、第２の実施の形態に係わるミラーシステム１Ｂは、第１の実施の形態と同様に、使用者の頭上に設けられた距離検出手段（図１の距離センサ１１ａ）又は図４の目線高さ検出部１０ｂ等の使用者Ｐの目線高さＩＬを検出する目線高さ検出手段を備える。
【００４１】
また、第２の実施の形態において、プロジェクタ２１、ミラー２２、ハーフミラー２３及び第２のハーフミラー２４が、距離センサ１１ａが検出した目線高さＩＬに合わせて映像を表示する映像表示手段の他の例を構成し、図３を参照して説明した第１〜第５の映像調整方法と同様な方法によって、距離センサ１１ａが検出した目線高さＩＬに応じて映像の表示高さを調整する。
【００４２】
なお、プロジェクタ２１は、床面側から天井側（上方）に向けて映像を投影し、この映像を反射するミラー２２の反射面は斜め下方を向いているが、これ以外にも、プロジェクタ２１は、下方、左方又は右方に向けて映像を投影し、ミラー２２の反射面は斜め上方、右方又は左方を向いていてもよい。
【００４３】
また、ミラー２２の回転は、ミラー回転装置を用いて行ってもよいし、ミラー２２に対して固定されたレバーを筐体の両側面から突出させて、使用者によるレバー操作によって行っても構わない。
【００４４】
本発明の第２の実施の形態によれば、ミラー２２が回転することによりプロジェクタ２１から投影された映像を第１の空間ＡＳ又は第２の空間ＢＳに向けて反射させ、ハーフミラー２３はミラー２２により反射された映像を第１の空間ＡＳに向けて透過させ、第２のハーフミラー２４はミラー２２により反射された映像を第２の空間ＢＳに向けて透過させる。これによって、ミラーシステム１Ｂは、一つの部屋であっても、これらの領域を仕切るとともに、仕切りにおけるそれぞれの領域側の面にそれぞれの用途に合った映像を表示させることができる。また、仕切りの面をハーフミラー２３、２４とすることによって、使用者は鏡としても使用することができるので、ミラーシステム１Ｂを部屋に設置しても部屋が狭くなったような圧迫感を使用者が感じることが少ない。よって、映像を表示していないときに部屋を広く見せることができる。
【００４５】
ミラー２２をハーフミラー２３と第２のハーフミラー２４の間の第３の空間に設けることにより、ミラー２２を設置する為の床面積が不要となる。
【００４６】
また、第３の空間にプロジェクタ２１を設けることにより、プロジェクタ２１を設置する為の床面積が不要となり、プロジェクタ２１を接続する配線によって床が乱雑になることも無くなる。
【００４７】
更に、第３の空間にプロジェクタ２１及びミラー２２を設けることにより、プロジェクタ２１から投影された映像光はミラー２２により折り返されてハーフミラー２３、２４を透過するので、ハーフミラー２３と第２のハーフミラー２４の距離を短くすることができる。
【００４８】
なお、プロジェクタ２１は、映像を１８０度回転させる映像回転部を備えていてもよい。これにより、ハーフミラー２３を透過する映像と第２のハーフミラー２４を透過する映像を同じ向きに表示することができる。
【００４９】
上記のように、本発明は、２つの実施の形態及びその変形例によって記載したが、この開示の一部をなす論述及び図面はこの発明を限定するものであると理解すべきではない。この開示から当業者には様々な代替実施の形態、実施例及び運用技術が明らかとなろう。
【００５０】
本発明の実施の形態に係わるミラーシステム１Ａ、１Ｂにおいて、ミラー２２は、入射する光のほぼ総てを反射又は吸収し、入射する光を透過させない通常のミラーであってよいが、これに限らず、入射する光の一部を反射し、他の一部を透過する機能を備えるハーフミラーであっても構わない。ミラー２２がハーフミラーである場合、ミラー２２を透過する光を図２の筐体３３の上面から筐体３３の外へ取り出すことにより、部屋全体を間接的に照らす間接照明等としてミラー２２を透過する光を用いることができる。
【００５１】
このように、本発明はここでは記載していない様々な実施の形態等を包含するということを理解すべきである。したがって、本発明はこの開示から妥当な特許請求の範囲に係る発明特定事項によってのみ限定されるものである。
【図面の簡単な説明】
【００５２】
【図１】本発明の第１の実施の形態に係わるミラーシステム１Ａの具体的な構成を示す断面図である。
【図２】本発明の第１の実施の形態に係わるミラーシステム１Ａの外観構成を示す斜視図である。
【図３】図３（ａ）〜図３（ｅ）は、距離センサ１１ａが検出した目線高さＩＬに応じて映像の表示高さを調整する方法（第１乃至第５の映像調整方法）を示す断面図である。
【図４】変形例における目線高さ検出部１０ｂの構成を示すブロック図である。
【図５】使用者認証部１５が使用者の顔による生体認証を行う場合の変形例に係わるミラーシステム１Ａの構成例を示す断面図である。
【図６】第２の実施の形態に係わるミラーシステム１Ｂの構成を示す断面図であり、図６（ａ）は、ミラー２２が第１の空間ＡＳに向けてプロジェクタ２１から投影された映像を反射している状態を示し、図６（ｂ）は、ミラー２２が第２の空間ＢＳに向けてプロジェクタ２１から投影された映像を反射している状態を示す。
【符号の説明】
【００５３】
１Ａ、１Ｂ…ミラーシステム
１０ｂ…目線高さ検出部（目線高さ検出手段）
１１ａ…距離センサ（目線高さ検出手段）
１１ｂ…カメラ
１３…目線高さデータベース（目線高さ記憶手段）
１４…認証データベース（認証データ記憶手段）
１５…使用者認証部（使用者認証手段）
２１、２１ａ、２１ｂ、２１ｃ、２１ｄ、２１ｅ、２１ｆ…プロジェクタ
２２、２２ａ、２２ｂ…ミラー
２３…第１のハーフミラー
２４…第２のハーフミラー
３１…甲板
３２…椅子
３３…筐体
θ、θｃ、θｄ、θｅ、θｆ…投影角度
ＡＳ…第１の空間
ＢＳ…第２の空間
ＢＦ…床面
ＦＳ…投影可能範囲
ＧＳ１、ＧＳ２…映像
Ｐ…使用者
ＲＳ…反射面
ＴＦ…天井
【図１】
2009156990.tif 000003
【図２】
2009156990.tif 000004
【図３】
2009156990.tif 000005
【図４】
2009156990.tif 000006
【図５】
2009156990.tif 000007
【図６】
2009156990.tif 000008